(57)【要約】【課題】側面方向あるいは背面方向まで光を照射させることができるとともに、製造が容易な照明装置を提供する。【解決手段】照明装置は、光源３と、光源を支持するとともに光を放出する開口８を有する筐体２と、前記筐体の開口に設けられたプリズム５と、を備えている。プリズムは、前光源の前方を９０度、側面方向を０度、背面方向をー９０度とした緯度角度とするとき、光源から緯度角度０〜３０度の範囲で照射される光線の少なくとも一部が入射する位置に設けられている。【選択図】図１
2014002962.tif 000002
【特許請求の範囲】
【請求項１】
光源と、
前記光源を支持するとともに光を放出する開口を有する筐体と、
前記筐体の開口に設けられたプリズムと、を備え、
前記プリズムは、前記光源の前方を９０度、側面方向を０度、背面方向をー９０度とした緯度角度とするとき、前記光源から緯度角度０〜３０度の範囲で照射される光線の少なくとも一部が入射する位置に設けられている照明装置。
【請求項２】
前記プリズムは、入射した光を緯度角度で０〜−３０度に出射する請求項１に記載の照明装置。
【請求項３】
前記プリズムは、入射した光を緯度角度で３０度以上に出射する請求項１又は２に記載の照明装置。
【請求項４】
前記プリズムは、複数のプリズムを並べて構成されている請求項１ないし３のいずれか１項に記載の照明装置。
【請求項５】
前記光源は点状光源であり、前記プリズムは前記光源を中心とした環状に形成されている請求項１ないし４のいずれか１項に記載の照明装置。
【請求項６】
前記光源は線状に並んだ光源であり、前記プリズムは前記光源と平行に延びる棒状に形成されている請求項１ないし４のいずれか１項に記載の照明装置。
【発明の詳細な説明】
【技術分野】
【０００１】
この発明の実施形態は、照明装置に関する。
【背景技術】
【０００２】
一般に、照明装置は天井に設置されて部屋やオフィスを照射するが、床面あるいは作業机上だけでなく天井面や壁面などの環境全体を照射することで、より明るい印象を与えることができる。このような照射を行うには、従来、天井から突出した立体的な乳白のカバーを採用し、このカバーから散乱される光により天井などを照射する技術がある。
【０００３】
一方、照明装置から直接目に入る光は明るすぎて眩しさを感じてしまう。特に、天井から０〜３０度の範囲の斜めに照射される光は、人が照明装置を見上げなくても自然に目に入る角度であり、この光を抑制することが望ましい。
【０００４】
ダウンライト等では、天井に照明装置を埋め込み、光源が斜めから見えないようにしているが、このような構成では眩しさを抑制することはできる反面、天井への照射はできない。
【０００５】
また、ルーバー、バッフル、ガラリと呼ばれる遮光板で斜めから光源が見えないようにする技術が提案されている。これらは天井に垂直方向に立てた遮光板を複数配列して、斜め方向から光源が見えないようにするものである。しかし、このような照明装置でも、やはり、天井照射が出来なくなるという問題がある。
【先行技術文献】
【特許文献】
【０００６】
【特許文献１】特開平０４−８７２０４号公報
【発明の概要】
【発明が解決しようとする課題】
【０００７】
この発明は以上の点を鑑みてなされたものであり、その課題は、眩しさを増やすことなく天井側などを照射できるようにした照明装置を提供することにある。
【課題を解決するための手段】
【０００８】
実施形態によれば、照明装置は、光源と、前記光源を支持するとともに光を放出する開口を有する筐体と、前記筐体の開口に設けられたプリズムと、を備え、前記プリズムは、前記光源の前方を９０度、側面方向を０度、背面方向をー９０度とした緯度角度とするとき、前記光源から緯度角度０〜３０度の範囲で照射される光線の少なくとも一部が入射する位置に設けられている。
【図面の簡単な説明】
【０００９】
【図１】図１は、第１の実施形態に係るダウンライト型の照明装置の外観を示す斜視図。
【図２】図２は、前記照明装置を天井に設置した状態を示す照明装置の断面図。
【図３】図３は、前記照明装置から照射される光線軌道を示す図。
【図４】図４は、眩しさを感じる範囲を示す図。
【図５】図５は、第２の実施形態に係る埋め込みベースライト型の照明装置の外観を示す斜視図。
【図６】図６は、第２の実施形態に係る埋め込みベースライト型照明装置の断面図。
【図７】図７は、第２の実施形態に係る照明装置から照射される光線軌道を示す図。
【図８】図８は、第３の実施形態に係る貼り付けベースライト型の照明装置の断面図。
【発明を実施するための形態】
【００１０】
以下、図面を参照しながら、種々の実施形態に係る照明装置について詳細に説明する。  
（第１の実施形態）  
図１は、第１の実施形態に係るダウンライト型の照明装置の外観を示し、図２は、天井に設置した状態を示す照明装置の断面図である。
【００１１】
照明装置１は天井面に埋め込まれており、図示した断面を中心軸で回転させた形態を有している。照明装置１は、底が平坦なカップ状に形成された筐体２と、筐体の底部に実装された複数のＬＥＤからなる光源３と、光源３に対向して筐体２に設けられた透明なカバー４と、更に、筐体２に支持されたプリズム５と、を備えている。
【００１２】
筐体２は、例えば、金属で形成され、リフレクタをなす円錐部と、光源３が実装された底部と、光源３に対向し光を放出する下端開口８と、を有している。筐体２の底に実装基板６が固定され、この実装基板６上に複数のＬＥＤからなる光源３が実装されている。
【００１３】
プリズム５は、点光源である光源３を中心とする環状に形成され、筐体２の下端開口８の周縁部に同軸的に固定されている。更に、カバー４は、プリズム５に重ねて固定され、筐体２の下端開口８を覆っている。なお、カバー４は、開口８に限らず、筐体２内で光源３の直下に対向して設けてもよい。
【００１４】
照明装置１を天井に設置する場合、図２に示すように、筐体２は天井１０内に埋め込まれ、その下端開口８が天井面とほぼ面一に位置する。また、プリズム５は、天井面から下方に露出し、天井面とほぼ平行に配置される。
【００１５】
光源３の前方を９０度、側面方向を０度、背面方向をー９０度とした緯度角度とするとき、プリズム５は、光源３から緯度角度０〜３０度の範囲で照射される光線の少なくとも一部が入射する位置に設けられている。図２および図３に示すように、プリズム５は、入射面５ａ、出射面５ｂ、接続面５ｃを有し、光源３から入射面５ａに入射する光を屈折して出射面５ｂより天井１０に向けて広く照射する機能を有している。すなわち、プリズム５は、入射した光を緯度角度で０〜−３０度に出射するように形成されている。
【００１６】
また、本実施形態では、プリズム５は、光源３から直接放射される光のうち天井１０から０〜３０度の範囲の角度にある光を主たる入射光として活用し、その他の光は環状のプリズム５の中心を抜けて直接、下方に照射される構成としている。
【００１７】
光源３から出た一部の光は、図中破線で示すように若干ながらプリズム５の接続面５ｃに入射するが、プリズム５は、この光を天井１０から３０度より大きい角度で直下方向へ出射するように設計されている。すなわち、プリズム５は、接続面５ｃに入射した光を緯度角度で３０度以上に出射するように構成されている。
【００１８】
より広く天井１０を照射するには、出射光線が天井１０となす角度は０〜―３０度が好ましい。このため、プリズム５を抜ける光源３からの光は、天井１０からの角度で３０度以上となる光のみとなり、プリズム５に入射する光も主たる光は天井面に広く照射することができ、天井を明るく照射するとともに眩しさを生じない照明装置を実現している。
【００１９】
図４は、眩しさを感じる角度を説明する図である。  
天井１０から３０度より小さい角度では、自然に人の目に入ってしまうため、この角度範囲に光源からの直接光が放射されると眩しさを感じる。
【００２０】
上述した第１の実施形態に係る照明装置１では、主にこの角度範囲（天井１０から３０度より小さい角度）に照射される光をプリズム５に取り込み、天井１０側へ向けて照射する構成であり、眩しさを増やすことなく明るい空間を実現することができる。
【００２１】
なお、第１の実施形態では直下方向と天井側の照度バランスを考慮して、プリズム５が取り込んで天井１０側へ照射する光の角度範囲を３０度以内としたが、更に、大きい角度をプリズム５でカバーして天井１０側を強く照射してもよい。その逆に、天井側を弱く照射してもよい。
【００２２】
また、プリズム５は、天井側照射の作用だけでなく、直下方向へ照射する構成とすることも可能である。上述した実施形態において、天井１０側が明るすぎる場合は、プリズム５は、例えば、０〜２０度角度範囲の光を天井側へ屈折し、２０〜３０度の角度範囲の光をプリズム５により遮光を兼ねて直下方向へ照射させるように形成されていてもよい。
【００２３】
次に、他の実施形態に係る照明装置について説明する。なお、以下に述べる種々の実施形態において、第１の実施形態と同一の部分には、同一の参照符号を付してその詳細な説明を省略し、異なる部分を中心に詳細に説明する。
【００２４】
（第２の実施形態）
図５は、第２の実施形態に係る照明装置の外観を示し、図６は、天井に設置した状態を示す照明装置の断面図である。
【００２５】
照明装置１は天井面に埋め込まれており、図示した断面を直交する方向に延長した形態を有している。照明装置１は、矩形状の筐体２と、筐体の底部に実装された複数のＬＥＤからなる光源３と、光源３に対向して筐体２に設けられた透明なカバー４と、更に、筐体２に支持されたプリズム５と、を備えている。
【００２６】
筐体２は、例えば、金属で形成され、平坦な矩形状の底壁と底壁の周縁に立設された高さの低い側壁とを有し、矩形状の下端開口８を有している。筐体２の底に実装基板６が固定され、この実装基板６上に複数のＬＥＤからなる光源３が直線状に２列に並んで実装されている。複数の光源３は、筐体２の長手方向に沿って並んでいる。
【００２７】
プリズム５は、細長い板状に形成され、それぞれ筐体２の両側縁に固定され、下端開口８の両側縁と平行に延びている。更に、カバー４は、プリズム５に重ねて固定され、筐体２の下端開口８を覆っている。なお、カバー４は、開口８に限らず、筐体２内で光源３の直下に対向して設けてもよい。
【００２８】
照明装置１を天井に設置する場合、図６に示すように、筐体２は天井１０内に埋め込まれ、その下端開口８が天井面とほぼ面一に位置している。また、２つのプリズム５は、天井面から下方に露出し、天井面とほぼ平行に配置される。
【００２９】
筐体２の側壁は浅く形成してあり、両プリズム５は、光源３から天井１０に対して０〜３０度の角度範囲で放出される光が入射する位置に配置されている。各プリズム５は、断面がクサビ状に突出した複数のプリズム領域を有し、これらのプリズム領域は、互いに平行に、かつ下端開口８の側縁と平行に延びている。各プリズム領域は、傾斜した入射面５ａ、出射面５ｂ、および全反射面５ｄを有している。そして、図６および図７に示すように、プリズム５は、入射面５ａから入射した光を屈折し、全反射面５ｄで全反射して、出射面５ｂより天井１０側へ向けて放出する。すなわち、プリズム５は、０〜―３０度の角度で光を出射する。
【００３０】
上記のように構成された照明装置１によれば、プリズム５に入射する光は天井面に広く照射することができ、天井を明るく照射するとともに眩しさを生じない照明装置を得ることができる。また、本実施形態によれば、プリズム５は複数のプリズム領域に細分しているため、プリズム全体を薄く構成することができ、量産性の向上を図ることができる。
【００３１】
（第３の実施形態）
図８は、第３の実施形態に係る照明装置を示す断面図である。
【００３２】
照明装置１は、天井１０に埋め込まずに、天井面に貼りつけて設置する構成であり、図示した断面を直交する方向に延長した形態を有している。
【００３３】
照明装置１は、板状の筐体２と、筐体に実装された複数のＬＥＤからなる光源３と、光源３に対向して筐体２に設けられた透光性を有するカバー４と、更に、カバー４に一体に形成されたプリズム５と、を備えている。
【００３４】
筐体２は、例えば、金属板で形成され、その中央部が下方に突出した突起部を構成し、凸部の両側に平坦な実装面が形成されている。複数の光源３は、突起部の両側で実装面上に対称的に配置され、それぞれ、筐体２の長手方向に沿って直線的に並んで設けられている。また、筐体２は、それぞれ光源からの光を外部に放出する開口を有し、本実施形態では、実装面と対向する空間がこれら開口を形成している。
【００３５】
一対のカバー４は、それぞれ筐体２の中央突起部の両側に光源３および開口を覆って設けられ、筐体２に取り付けられている。各カバー４は、例えば、押出し成型等によりプリズムと一体成型されている。
【００３６】
各カバー４のプリズムは、天井照射プリズム２２と直下照射プリズム２４を含んでいる。天井照射プリズム２２は、光源３から天井１０に対して０〜１５度の角度範囲で放出される光が入射する位置に配置されている。天井照射プリズム２２は、断面がカバー４の内面側にクサビ状に突出した複数のプリズム領域を有し、これらのプリズム領域は、入射した光を屈折し、天井１０側へ向けて放出する。すなわち、天井照射プリズム２２は、０〜―３０度の角度で光を出射する。
【００３７】
直下照射プリズム２４は、光源３から天井１０に対して１５〜３０度の角度範囲で放出される光が入射する位置、および、３０度以上の角度範囲で放出される光が入射する位置に配置されている。１５〜３０度の角度範囲で放出される光は、一方の直下照射プリズム２４に入射し、直下側へ３０度以上の角度で照射される。他方の直下照射プリズム２４に入射した光は、このプリズム２４により屈折し、直下側へ３０度以上の角度で照射される。
【００３８】
以上のように構成された第３の実施形態においても、眩しさを伴うことなく天井を明るく照射する照明装置を得ることができる。
【００３９】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
前述した実施形態では光源としてＬＥＤを用いたが、光源は既存の蛍光灯であってもその他の光源であってもよい。また、プリズム部分だけを取り外し可能とし、アクセサリィとして各種天井照射比率を変えたプリズムを照明装置設置後に選択的に交換可能としてもよい。上述した照明装置は、部屋の天井に限らず、側壁に設置するようにしてもよい。
【符号の説明】
【００４０】
１…照明装置、２…筐体、３…光源、４…カバー、５…プリズム、５ａ…入射面、
５ｂ…出射面、１０…天井、２２…天井照射プリズム、２４…直下照射プリズム
【図１】
2014002962.tif 000003
【図２】
2014002962.tif 000004
【図３】
2014002962.tif 000005
【図４】
2014002962.tif 000006
【図５】
2014002962.tif 000007
【図６】
2014002962.tif 000008
【図７】
2014002962.tif 000009
【図８】
2014002962.tif 000010